(57)【要約】【課題】カラーフィルタ１０とＴＦＴ基板１１を貼り合わせる際に、アライメントマーク６をカラーフィルタピース１３の近くに設けても、アライメントマーク６上をシール材９が乗るといった影響がなく、機能低下のないカラーフィルタを提供１０すること。【解決手段】外周部にアライメントマーク６を設けたカラーフィルタ１０であって、前記アライメントマークの周囲をスペーサー８材料で囲い、アライメントマーク６をブラックマトリックス材料５を用いて形成する。【選択図】図１
2015138181.tif 000002
【特許請求の範囲】
【請求項１】
外周部にアライメントマークを設けたカラーフィルタ基板であって、
前記カラーフィルタ基板は、その基板上に、アライメントマークを囲う防壁を有することを特徴とするカラーフィルタ基板。
【請求項２】
前記防壁は、スペーサーの材料と同一の材料で形成されたことを特徴とする請求項１に記載のカラーフィルタ基板。
【請求項３】
前期防壁は、シール材の流れ方向に対して流線型状であることを特徴とする請求項１または請求項２に記載のカラーフィルタ基板。
【請求項４】
前記アライメントマークは、ブラックマトリックスの材料と同一の材料を用いて形成されていることを特徴とする請求項１乃至請求項３のいずれか一項に記載のカラーフィルタ基板。
【請求項５】
請求項１乃至請求項４のいずれか一項に記載のカラーフィルタ基板を用いたことを特徴とする液晶表示セル。
【請求項６】
請求項１乃至請求項４のいずれか一項に記載のカラーフィルタ基板に設けられたアライメントマークを用いて、前記カラーフィルタ基板とＴＦＴ基板との貼り合わせを行うことを特徴とする液晶表示セルの製造方法。
【発明の詳細な説明】
【技術分野】
【０００１】
本発明は、アライメントマークを設けたカラーフィルタ基板に関し、ＴＦＴ基板との貼り合わせ工程の後でも、アライメント機能を保つことができるカラーフィルタ基板、液晶表示セルおよび液晶表示セルの製造方法に関する。
【背景技術】
【０００２】
一般に、表示装置用カラーフィルタは、透明基板上に遮光部となるブラックマトリックス層を所定箇所に形成したのち、透明基板上に赤色（Ｒｅｄ），緑色（Ｇｒｅｅｎ），青色（Ｂｌｕｅ）のカラーフィルタ層を画素状に形成している。
【０００３】
ＯＡ機器、パソコン、携帯テレビ等に需要拡大してきた液晶表示装置は、近年、その高品質表示についての要求が高まり、高精細化に向けての開発が進んでいる。現状Ｆｕｌｌ−ＨＤのモバイル機器においては、４４０ｐｐｉ程度の高精細化の要望が強い。ディスプレイの高精細化に伴って、その画素ピッチも小さくなっている。
【０００４】
カラーフィルタを用いた液晶表示セルは、透明基板１上に、ブラックマトリックス５、赤画素２、緑画素３、青画素４、更にオーバーコート層７、スペーサー８が設けられたカラーフィルタ１０と、ＴＦＴ基板１１とが貼り合わされた構成になっている。
【０００５】
図２は、カラーフィルタ１０を、ＴＦＴ基板１１に貼り合わせたときの、アライメントマーク６の状態を示している。カラーフィルタ１０の外周部にシール材を塗布し、シール材によって閉ざされた環状に形成し、シール材の内側に液晶を配置する（特許文献１）。
【０００６】
その製造工程の一例としては、シール部を紫外線により仮硬化した後、加熱によりシールを本硬化し液晶を封じ込めるエリアを形成する等の方法があるが、シール材９の厚みは、一般的にスペーサー８よりも厚く設けられるため、カラーフィルタ１０とＴＦＴ基板１１を貼り合わせた際、シール材が横へと広がり、シール材がアライメントマーク上に乗ってしまう。アライメントマーク６上にシール材９や配向膜がかかるとアライメント精度が落ちることがあり、最悪の場合アライメントできない場合がある。
【０００７】
図５は、多面付けされたカラーフィルタに設けられた、アライメントマーク６の位置関係を示している。アライメントマークは、例えばステップ露光であれば４個以上の配置となり、装置上の制約もあって通常はアライメントマークは基板端に設けられるが、アライメントマーク６をシール材９が乗らないように離した位置に設けると、特に一つの液晶表示装置に用いられるカラーフィルタピースを１枚の基板上に多面付けする場合等において、ロスエリアを拡大することになる。
【先行技術文献】
【特許文献】
【０００８】
【特許文献１】２００５−２４１６９７号公報
【発明の概要】
【発明が解決しようとする課題】
【０００９】
本発明は、カラーフィルタ基板とＴＦＴ基板の貼り合わせ時に、アライメントマークがカラーフィルタピースの近くに設けてあっても、アライメントマーク上にシール材が乗ることがなく、アライメント精度が低下しないカラーフィルタ基板を提供するものである。
【課題を解決するための手段】
【００１０】
上記の課題を解決するための手段として、請求項１に記載の発明は、外周部にアライメントマークを設けたカラーフィルタ基板であって、
前記カラーフィルタ基板は、その基板上に、アライメントマークを囲う防壁を有することを特徴とするカラーフィルタ基板である。
【００１１】
また、請求項２に記載の発明は、前記防壁は、スペーサーの材料と同一の材料で形成されたことを特徴とする請求項１に記載のカラーフィルタ基板である。
【００１２】
また、請求項３に記載の発明は、前期防壁は、シール材の流れ方向に対して流線型状であることを特徴とする請求項１または請求項２に記載のカラーフィルタ基板である。
【００１３】
また、請求項４に記載の発明は、前記アライメントマークは、ブラックマトリックスの材料と同一の材料を用いて形成されていることを特徴とする請求項１乃至請求項３のいずれか一項に記載のカラーフィルタ基板である。
【００１４】
また、請求項５に記載の発明は、請求項１乃至請求項４のいずれか一項に記載のカラーフィルタ基板を用いたことを特徴とする液晶表示セルである。
【００１５】
また、請求項６に記載の発明は、請求項１乃至請求項４のいずれか一項に記載のカラーフィルタ基板に設けられたアライメントマークを用いて、前記カラーフィルタ基板とＴＦＴ基板との貼り合わせを行うことを特徴とする液晶表示セルの製造方法である。
【発明の効果】
【００１６】
本発明になるカラーフィルタ基板は、アライメントマークを囲う防壁をカラーフィルタ基板のアライメントマーク上に有するため、カラーフィルタ基板とＴＦＴ基板との貼りあわせ時においてシール材が横に押し出された際に、防壁がシール材をブロックし、アライメントマーク上に乗り上げることを防止することができる。特に、一つの液晶表示装置に使用されるカラーフィルタピースを多面付けしたカラーフィルタ基板においては、その１枚のピースとアライメントマークとの距離が近接していてもアライメント機能を好適に保つことができるため、カラーフィルタ基板上において、より広い有効領域を確保することができる。
【００１７】
また、防壁をスペーサー材料によって形成することで、防壁の形成をスペーサーの形成と同時に行うことができるため、製造コストを抑えることが可能となる。
【図面の簡単な説明】
【００１８】
【図１】本発明のカラーフィルタ基板１０を、ＴＦＴ基板１１に貼り合わせたときのアライメントマーク６の状態を示した概念図である。
【図２】従来のカラーフィルタ基板１０を、ＴＦＴ基板１１に貼り合わせたときのアライメントマーク６の状態を示した概念図である。
【図３】本発明のカラーフィルタ基板１０のアライメントマーク６部と従来のアライメントマーク６部を示した平面および断面概念図である。
【図４】本発明のカラーフィルタ基板１０の防壁を、シール材の流れ方向に対して流線型状に設けた例を示す概念図である。
【図５】本発明のカラーフィルタ基板１０の、空間１２を持ったアライメントマーク６を示した平面概念図である。
【図６】本発明のカラーフィルタ基板１０のアライメントマークおよび防壁の形成手順の一例を示した概念図であり、図５における断面線Ｃの断面図である。
【発明を実施するための形態】
【００１９】
以下本発明を実施するための形態を、図面を用いて詳細に説明する。図１に、本発明のカラーフィルタ基板１０の一例を示す。図１において、カラーフィルタ基板１０は、そのアライメントマーク６の上に、アライメントマークを囲う防壁１４を有する。カラーフィルタ基板１０とＴＦＴ基板１１との貼り合わせ時において、シール材９は、カラーフィルタピース１３の領域の外側（外周部）に塗布され、閉ざされた環状に形成され、その閉ざされた環状の内側に液晶が注入される。
【００２０】
図１に示すカラーフィルタ基板１０は、透明基板１上にブラックマトリックス５を形成し後、赤画素２、緑画素３、青画素４を有する着色層を形成し、その上にオーバーコート層７が積層されている。本発明において、アライメントークは如何様な材料で形成してもよいが、ブラックマトリックス５形成時に、同じ材料で同時に形成すると、製造コストを抑えることが可能であり好ましい。また、アライメントマーク６は如何様なマークで形成してもよく、例えば十字・四角・円等といった幾何学マークが用いられる。また、図１では着色層を、赤、緑、青色の着色組成物で形成した例を示したが、本発明になるカラーフィルタ基板において、前記３色以外の色を有する着色組成物が使用されることは当然に妨げられず、そのパターンや配置密度についても制限されるものでない。
【００２１】
本発明において、防壁１４は如何様な材料で形成してもよいが、そのスペーサー８の形成時に、同じ材料を用いて同時に防壁を形成すると、製造コストを抑えることが可能であり好ましい。その場合において、防壁１４の高さを、スペーサー８の高さと同じになるよう形成すると、更に製造が容易となり、より好ましい。
【００２２】
ＴＦＴ基板１１とカラーフィルタ１０とを張り合わせるためのシール材９は、ＴＦＴ基板１１、カラーフィルタ１０のどちら側に塗布しても良いが、装置制約上の理由から、一般的にはＴＦＴ基板１１上へ塗布される。また、シール材９は、その接着を確実なものとするため、一般的にはスペーサー８の高さより幾分厚く盛られるため、カラーフィルタ基板１０とＴＦＴ基板１１を貼り合わせる際に、シール材９が押し出され、基板面方向に広がろうとする。本発明のカラーフィルタ基板１０は、アライメントマーク６を囲う防壁１４を有することで、シール材が基板面方向に広がった場合でも、防壁１４が形成された部分に空間１２を確保できるため、ＴＦＴ基板１１側から見ると、アライメントマーク６の上にはシール材９が積層されていない状態として観察される。
【００２３】
図３は、本発明になるカラーフィルタ基板のアライメントマーク６部を拡大し、従来のアライメントマーク部と比較したものであり、Ａの平面図は本発明になるカラーフィルタ基板のアライメントマーク６部を観察した状態である。防壁１４により、アライメントマーク６の上にはシール材９が広がってこないため、アライメント精度が落ちることはない、断面図は空間１２が形成されていることを示す。
【００２４】
一方、図３Ｂの様に、防壁１４がない場合には、シール材９がアライメントマーク６上まで広がってしまい、断面図に示すように、アライメントマーク６はシール材９越しに観察され、アライメント精度が低下し、場合によってはアライメントができないこともある。
【００２５】
図４は、本発明になるカラーフィルタ基板の防壁を、シール材の流れ方向に対して流線型状に設けた例を示している。図４に示す例のように防壁１４を形成すると、シール材が横に広がった際の圧力がある程度受け流されるため、防壁が倒壊することを防ぐことができる。また加えて、図４に示す様な防壁であれば、横に押し広がったシール材９は基板面方向に受け流されるため、シール材９が防壁１４を乗り越え空間１２内に侵入することを防ぐことができる。また、防壁１４は、流線型状他、流れに対し鋭角状とし、流れを左右
に受け流すことも可能である。
【００２６】
また、本発明になるカラーフィルタは、カラーフィルタ基板とＴＦＴ基板が透明性を有する部材から構成されている限りにおいてアライメント機能が保たれるため、必要に応じて、カラーフィルタとＴＦＴ基板の張り合わせ以降の位置合わせの工程にも好適に適用し得る。
【００２７】
図５、図６に、本発明になるカラーフィルタ基板のアライメントマークおよび防壁の形成手順の一例を示す。図６は、図５におけるＣの断面図を示したものである。まず、透明基板１上にブラックマトリックス５を形成し、同時に同じ材料で、アライメントマーク６を形成する。
【００２８】
次に、赤画素２、緑画素３、青画素４の着色層を形成し、その上にオーバーコート層７を積層する。
【００２９】
更に、オーバーコート層７上にスペーサー８を形成し、同時に同じ材料で、アライメントマーク６を囲むように、スペーサー８による防壁１４を形成する。
【００３０】
以上に示す通り、本発明になるカラーフィルタ基板は、アライメントマーク上に防壁を有するため、ＴＦＴ基板との貼りあわせ時において、シール材が基板面方向に押し出されても防壁によってシール材がアライメントマーク上に乗ることを防ぐことができる。従って、アライメントマークをカラーフィルタ基板上のカラーフィルタピースの近傍に設けることが可能となり、実際の製品で使用されうる有効領域を広げることが可能となる。また、本発明になるアライメントマークおよび防壁は、上記に示す通り、それぞれブラックマトリックス、スペーサーの形成時に、同じ材料を用いて同時に形成することが可能であり、そのように製造することで、新たな工程を増やすことなく、本発明になるカラーフィルタ基板を作製することができる。
【符号の説明】
【００３１】
１・・・透明基板
２・・・赤画素
３・・・緑画素
４・・・青画素
５・・・ブラックマトリックス
６・・・アライメントマーク
７・・・オーバーコート層
８・・・スペーサー
９・・・シール材
１０・・・カラーフィルタ基板
１１・・・ＴＦＴ基板
１２・・・空間
１３・・・カラーフィルタピース
１４・・・防壁
Ｃ・・・断面位置
【図１】
2015138181.tif 000003
【図２】
2015138181.tif 000004
【図３】
2015138181.tif 000005
【図４】
2015138181.tif 000006
【図５】
2015138181.tif 000007
【図６】
2015138181.tif 000008